(57)【要約】【課題】供給量にバラツキを生じることなく連続供給することができるマグネット駆動式定容量供給型ポンプを提供する。【解決手段】前記マグネット駆動式定容量供給型ポンプ１０は、液体吸込口、液体吐出口、及び被駆動マグネット部１２を備えたポンプ部１、駆動マグネット部２、モーター３、並びに、駆動マグネット部とモーターとを繋ぐ接続手段４を備え、ポンプ部とモーターとが電気的に絶縁されている。【選択図】図１
2009062821.tif 000002
【特許請求の範囲】
【請求項１】
液体吸込口、液体吐出口、及び被駆動マグネット部を備えたポンプ部、駆動マグネット部、モーター、並びに、前記駆動マグネット部と前記モーターとを繋ぐ接続手段を備えるマグネット駆動式定容量供給型ポンプにおいて、
前記ポンプ部と前記モーターとが電気的に絶縁されていることを特徴とする、前記マグネット駆動式定容量供給型ポンプ。
【請求項２】
前記接続手段が絶縁材料からなる、請求項１に記載のマグネット駆動式定容量供給型ポンプ。
【請求項３】
ポンプ部、駆動マグネット部、及び／又はモーターを、電気的に絶縁して固定することのできる支持台を備えた、請求項１又は２に記載のマグネット駆動式定容量供給型ポンプ。
【発明の詳細な説明】
【技術分野】
【０００１】
本発明は、マグネット駆動式定容量供給型ポンプに関する。
【背景技術】
【０００２】
所定の供給量で液体を供給するポンプとして、マグネット駆動式定容量供給型ポンプが公知であり、例えば、特許文献１において、このようなマイクロポンプを使用して紡糸原液をノズルへ供給することが開示されている。
しかし、前記特許文献１に記載の繊維集合体の製造方法及び製造装置は、いわゆる静電紡糸法（紡糸原液をノズルから吐出するとともに、吐出した紡糸原液に電界を作用させて紡糸原液を延伸する方法）を前提とした製造方法及び製造装置であるため、紡糸原液には電圧が印加されており、紡糸原液が帯電している。従って、紡糸原液を介して、マイクロポンプを駆動するモーターに電気が流れ、モーターの誤作動を引き起こすことがあるため、連続生産が困難である。
【０００３】
そのため、紡糸原液と駆動装置との間を絶縁する方法として、シリンジポンプを使用する方法、あるいは、エア圧力を利用する方法（例えば、特許文献２）が考えられる。しかしながら、前者のシリンジポンプによる方法は連続生産に不向きである。他方、後者のエア圧力を利用する方法の場合、内圧や厚さの情報をフィードバックしても、全ての紡糸原液に対して、事前に圧力と吐出量の関係を把握しておくのが煩雑であり、しかもどうしてもタイムラグが生じてしまい、目付バラツキが生じてしまう。
このような問題は液体が帯電している、又は帯電しやすい場合においても同様に生じると考えられた。
【０００４】
【特許文献１】特開２００６−１１２０２３号公報
【特許文献２】特開２００７−９２２３７号公報
【発明の開示】
【発明が解決しようとする課題】
【０００５】
従って、本発明の課題は、供給量にバラツキを生じることなく連続供給することができるマグネット駆動式定容量供給型ポンプを提供することにある。
【課題を解決するための手段】
【０００６】
本発明の前記課題は、本発明による、液体吸込口、液体吐出口、及び被駆動マグネット部を備えたポンプ部、駆動マグネット部、モーター、並びに、前記駆動マグネット部と前記モーターとを繋ぐ接続手段を備えるマグネット駆動式定容量供給型ポンプにおいて、前記ポンプ部と前記モーターとが電気的に絶縁されていることを特徴とする、前記マグネット駆動式定容量供給型ポンプにより、解決することができる。
【０００７】
本発明のポンプの好ましい態様によれば、前記接続手段が絶縁材料からなる。
また、本発明のポンプの別の好ましい態様によれば、ポンプ部、駆動マグネット部、及び／又はモーターを、電気的に絶縁して固定することのできる支持台を備えている。
【発明の効果】
【０００８】
本発明のポンプによれば、駆動マグネット部とモーターとが電気的に絶縁されているため、モーターの誤作動を生じることなく、連続的に液体を供給することができる。また、液体吸込口及び液体吐出口を有する定容量供給型ポンプであるため、供給量にバラツキを生じることなく、連続的に液体を供給することができる。更に、マグネット駆動式であるため、液体をリークさせることがなく、感電しないという効果も奏する。
また、本発明の好適態様によれば、ポンプ部、駆動マグネット部、及び／又はモーターを電気的に絶縁して固定できる支持台を備えているため、周辺装置への短絡が生じず、また、感電しない。
【発明を実施するための最良の形態】
【０００９】
本発明のポンプは、駆動マグネット部とモーターとが電気的に絶縁されていること以外は、従来のマグネット駆動式定容量供給型ポンプと同様の構成とすることができる。マグネット駆動式定容量供給型ポンプとしては、例えば、ギアポンプ、モーノポンプを挙げることができる。これらのポンプは、高流量で供給できるため、生産性に優れており、また、供給量の管理が容易である。
【００１０】
図１は、本発明のポンプの一態様であるギアポンプの代表的実施態様を模式的に示す断面図である。なお、図１では、被駆動マグネット部１２及び駆動マグネット部２、並びに駆動ギア１３及び被駆動ギア１４を除き、切断面を示すハッチングを省略すると共に、モーターの内部構造を省略している。また、液体吸込口及び液体吐出口については、ポンプの使用形態に応じて、ポンプ部１の所望の位置に配置可能であるため、図１では省略している。
【００１１】
図１に示すギアポンプ１０は、内部空間１９を有するポンプブロック１１と、ポンプブロック１１の外側に設けられた駆動マグネット部２と、駆動マグネット部２を駆動するモーター３と、駆動マグネット部２とモーター３とを連結するシャフト４とを含む。シャフト４は、絶縁材料から形成されている。
【００１２】
ポンプブロック１１の内部空間１９には、駆動マグネット部２と対向する位置に被駆動マグネット部１２が設けられ、被駆動マグネット部１２の回転により駆動する駆動ギア１３と、駆動ギア１３と噛み合う被駆動ギア１４とが設けられている。更に、ポンプブロック１１には、ポンプブロック１１の外部から内部空間１９内に液体を吸引する液体吸込口（図示せず）と、内部空間１９からポンプブロック１１の外部に液体を排出する液体吐出口（図示せず）が、所定の位置に設けられている。ポンプブロック１１と、その内部空間１９に配置された前記の各部材は、ポンプ部１として機能する。
駆動マグネット部２と、シャフト４の一部は、ケース５内に収納されている。なお、本発明のポンプにおいては、駆動マグネット部及び／又はシャフトは、ケース内に収納されている必要はない。
【００１３】
図１に示すギアポンプ１０では、モーター３の回転がシャフト４を介して駆動マグネット部２に伝達され、駆動マグネット部２がポンプブロック１１の外側で回転する。駆動マグネット部２の回転により、ポンプブロック１１内の被駆動マグネット部１２が回転し、同時に、駆動ギア１３が回転する。駆動ギア１３と噛み合う被駆動ギア１４は、駆動ギア１３の回転に合わせて回転する。互いに噛み合っている駆動ギア１３及び被駆動ギア１４が回転することにより、液体（例えば、紡糸原液）が、液体吸込口から内部空間１９に流入し、更に、液体吐出口からポンプブロック１１の外部へ排出される。
【００１４】
図１に示すギアポンプ１０では、シャフト４が絶縁材料から形成されているため、液体が帯電していたとしても、ポンプ部１とモーター３との間が電気的に絶縁されており、モーターの誤作動を生じることなく、連続的に液体を供給することができる。
【００１５】
以上、図１に示す、本発明のポンプの一態様であるギアポンプの代表的実施態様を例にとって本発明を説明したが、本発明のポンプにおいては、ポンプ部とモーターとが電気的に絶縁されている限り、その手段は特に限定されるものではない。本発明においては、駆動マグネット部とモーターとを繋ぐ接続手段として、例えば、両者を直接連結するシャフトを用いる方法（図１参照）、両者からそれぞれ直接伸びているシャフト同士を、適当な伝達手段、例えば、ベルト及び／又はギアで繋ぐ方法などを挙げることができる。本発明では、前記接続手段を絶縁材料から形成することにより、ポンプ部とモーターとを電気的に絶縁することができる。
【００１６】
前記接続手段を形成する絶縁材料としては、体積抵抗が１０１０Ω・ｃｍ以上の材料が好ましい。前記絶縁材料としては、例えば、ポリエチレン、ポリプロピレン、フェノール樹脂、ポリエステル樹脂、シリコーン樹脂、ポリスチレン、塩化ビニル樹脂、ポリテトラフルオロエチレン、若しくはパーフロロアルキルビニルエーテル樹脂などの樹脂、シリコーンゴム、ブチルゴム、ニトリルゴム、若しくはエチレンプロピレンゴムなどのゴム、又はフィラーが添加された材料などを使用することができる。
【００１７】
また、本発明では、ポンプ部、駆動マグネット部、モーターの少なくとも１つを、電気的に絶縁して固定することのできる支持台を設けることができる。前記支持体の全体又は少なくともその一部を絶縁材料から形成する場合には、前記接続手段に関して先に例示した各種絶縁材料を使用することができる。
【産業上の利用可能性】
【００１８】
本発明は、帯電した液体、あるいは、帯電しやすい液体を連続供給する必要がある場合、例えば、静電紡糸の用途に適用することができる。
【図面の簡単な説明】
【００１９】
【図１】本発明のポンプの一態様であるギアポンプの代表的実施態様を模式的に示す断面図である。
【符号の説明】
【００２０】
１・・・ポンプ部；
１１・・・ポンプブロック；１２・・・被駆動マグネット部；１３・・・駆動ギア；
１４・・・被駆動ギア；１９・・・内部空間；
２・・・駆動マグネット部；３・・・モーター；４・・・シャフト；５・・・ケース；
１０・・・ギアポンプ。
【図１】
2009062821.tif 000003